(57)【要約】【課題】平型ケーブルの先端部分の浮き上がりを防止しつつ製造コストを同時に抑えるための技術を提供する。【解決手段】電極中継コネクタ１は、２つの信号線７を有するFPC２に装着される子コネクタ４と、６つのコンタクト９を有する親コネクタ５と、を備える。子コネクタ４を親コネクタ５に嵌合させることで、信号線７がコンタクト９に電気的に接続される。子コネクタ４は、トレー１０と、トレー１０を挿入可能な第２トレー挿入空間５３を有する子ハウジング１１と、を有する。トレー１０をFPC２に重ね、トレー１０とFPC２を子ハウジング１１の第２トレー挿入空間５３に共に挿入することで、FPC２の先端部分１８がトレー１０と子ハウジング１１の間に挟まれて保持される。【選択図】図２０
2015069773.tif 000002
【特許請求の範囲】
【請求項１】
少なくとも１つの導体を有する平型ケーブルに装着される第１コネクタ部と、
少なくとも１つのコンタクトを有する第２コネクタ部と、
を備え、
前記第１コネクタ部を前記第２コネクタ部に嵌合させることで、前記少なくとも１つの導体が前記少なくとも１つのコンタクトに電気的に接続される、
電気コネクタであって、
前記第１コネクタ部は、補助板と、前記補助板を挿入可能な挿入空間を有するハウジングと、を有し、
前記補助板を前記平型ケーブルに重ね、前記補助板と前記平型ケーブルを前記ハウジングの前記挿入空間に共に挿入することで、前記平型ケーブルの先端部分が前記補助板と前記ハウジングの間に挟まれて保持される、
電気コネクタ。
【請求項２】
請求項１に記載の電気コネクタであって、
前記平型ケーブルの前記先端部分は、前記補助板側に曲げられた状態で、前記補助板と前記ハウジングの間に挟まれて保持される、
電気コネクタ。
【請求項３】
請求項２に記載の電気コネクタであって、
前記ハウジングは、前記補助板と前記平型ケーブルを前記ハウジングの前記挿入空間に共に挿入した際に、前記平型ケーブルの前記先端部分を前記補助板側に曲げるための曲げ案内面を有する、
電気コネクタ。
【請求項４】
請求項２又は３に記載の電気コネクタであって、
前記平型ケーブルの前記先端部分が前記補助板と前記ハウジングの間に挟まれて保持された状態で前記平型ケーブルの前記先端部分に対向する前記補助板の面としての補助板側ケーブル対向面と、前記平型ケーブルの前記先端部分が前記補助板と前記ハウジングの間に挟まれて保持された状態で前記平型ケーブルの前記先端部分に対向する前記ハウジングの面としてのハウジング側ケーブル対向面と、のうち一方には他方へ向かって突出する保持突起が形成されており、
前記平型ケーブルの前記先端部分は、前記保持突起が前記平型ケーブルの前記先端部分を局所的に変形させることで、前記補助板と前記ハウジングの間に挟まれて保持される、
電気コネクタ。
【請求項５】
請求項４に記載の電気コネクタであって、
前記補助板側ケーブル対向面と前記ハウジング側ケーブル対向面のうち前記他方には、前記一方から離れるように凹む保持凹部が形成されており、
前記保持突起と前記保持凹部は、前記平型ケーブルの前記先端部分を挟んで対向する、
電気コネクタ。
【請求項６】
請求項４又は５に記載の電気コネクタであって、
前記補助板側ケーブル対向面と前記ハウジング側ケーブル対向面は、略平行である、
電気コネクタ。
【請求項７】
請求項１〜６の何れかに記載の電気コネクタであって、
前記補助板と前記平型ケーブルを前記ハウジングの前記挿入空間に共に挿入する際、前記平型ケーブルは、前記平型ケーブルの前記先端部分から見て、前記ハウジングから離れる方向に延びている、
電気コネクタ。
【請求項８】
請求項１〜７の何れかに記載の電気コネクタであって、
前記第２コネクタ部は、複数の前記第１コネクタ部が同時に嵌合可能に構成されている、
電気コネクタ。
【請求項９】
請求項１〜８の何れかに記載の電気コネクタであって、
前記ハウジングからの前記補助板の取り外しを禁止する取外禁止手段を更に備えた、
電気コネクタ。
【発明の詳細な説明】
【技術分野】
【０００１】
本発明は、電気コネクタに関する。
【背景技術】
【０００２】
この種の技術として、特許文献１は、本願の図３５に示すように、フラットケーブル１００を回路基板に接続するためのフラットケーブル用コネクタ１０１を開示している。フラットケーブル用コネクタ１０１は、フラットケーブル１００の端部に装着される配線材側コネクタ１０２と、回路基板に実装される基板用コネクタ１０３と、から構成されている。配線材側コネクタ１０２は、ハウジング１０４とホルダー１０５から構成されている。ホルダー１０５をフラットケーブル１００に重ね、ホルダー１０５とフラットケーブル１００を同時にハウジング１０４に挿入することで、配線材側コネクタ１０２は、フラットケーブル１００の端部に装着される。フラットケーブル１００の端部には、補強板１０６と係止板１０７が積層固定されている。そして、係止板１０７をホルダー１０５の前端突条１０８の下側に係合させることで、フラットケーブル１００の先端部分のホルダー１０５からの浮き上がりが防止されている。
【先行技術文献】
【特許文献】
【０００３】
【特許文献１】特開２００３−１２３８８０号
【発明の概要】
【発明が解決しようとする課題】
【０００４】
しかし、上記特許文献１の構成では、フラットケーブル１００に係止板１０７を積層固定させる工程が必要であり、製造コストの面で改善の余地が残されていた。
【０００５】
本発明の目的は、平型ケーブルの先端部分の浮き上がりを防止しつつ製造コストを同時に抑えるための技術を提供することにある。
【課題を解決するための手段】
【０００６】
本願発明の観点によれば、少なくとも１つの導体を有する平型ケーブルに装着される第１コネクタ部と、少なくとも１つのコンタクトを有する第２コネクタ部と、を備え、前記第１コネクタ部を前記第２コネクタ部に嵌合させることで、前記少なくとも１つの導体が前記少なくとも１つのコンタクトに電気的に接続される、電気コネクタであって、前記第１コネクタ部は、補助板と、前記補助板を挿入可能な挿入空間を有するハウジングと、を有し、前記補助板を前記平型ケーブルに重ね、前記補助板と前記平型ケーブルを前記ハウジングの前記挿入空間に共に挿入することで、前記平型ケーブルの先端部分が前記補助板と前記ハウジングの間に挟まれて保持される、電気コネクタが提供される。
前記平型ケーブルの前記先端部分は、前記補助板側に曲げられた状態で、前記補助板と前記ハウジングの間に挟まれて保持される。
前記ハウジングは、前記補助板と前記平型ケーブルを前記ハウジングの前記挿入空間に共に挿入した際に、前記平型ケーブルの前記先端部分を前記補助板側に曲げるための曲げ案内面を有する。
前記平型ケーブルの前記先端部分が前記補助板と前記ハウジングの間に挟まれて保持された状態で前記平型ケーブルの前記先端部分に対向する前記補助板の面としての補助板側ケーブル対向面と、前記平型ケーブルの前記先端部分が前記補助板と前記ハウジングの間に挟まれて保持された状態で前記平型ケーブルの前記先端部分に対向する前記ハウジングの面としてのハウジング側ケーブル対向面と、のうち一方には他方へ向かって突出する保持突起が形成されている。前記平型ケーブルの前記先端部分は、前記保持突起が前記平型ケーブルの前記先端部分を局所的に変形させることで、前記補助板と前記ハウジングの間に挟まれて保持される。
前記補助板側ケーブル対向面と前記ハウジング側ケーブル対向面のうち前記他方には、前記一方から離れるように凹む保持凹部が形成されており、前記保持突起と前記保持凹部は、前記平型ケーブルの前記先端部分を挟んで対向する。
前記補助板側ケーブル対向面と前記ハウジング側ケーブル対向面は、略平行である。
前記補助板と前記平型ケーブルを前記ハウジングの前記挿入空間に共に挿入する際、前記平型ケーブルは、前記平型ケーブルの前記先端部分から見て、前記ハウジングから離れる方向に延びている。
前記第２コネクタ部は、複数の前記第１コネクタ部が同時に嵌合可能に構成されている。
前記電気コネクタは、前記ハウジングからの前記補助板の取り外しを禁止する取外禁止手段を更に備える。
【発明の効果】
【０００７】
本発明によれば、前記平型ケーブルの前記先端部分の浮き上がりを防止しつつ前記電気コネクタの製造コストを同時に抑えることができる。
【図面の簡単な説明】
【０００８】
【図１】複数の子コネクタを親コネクタに嵌合させる前の状態を示す斜視図である。
【図２】複数の子コネクタを親コネクタに嵌合させた状態を示す斜視図である。
【図３】FPCの端部を子コネクタに装着する手順を示す斜視図である。
【図４】FPCの端部を子コネクタに装着する手順を示す斜視図である。
【図５】FPCの端部を子コネクタに装着する手順を示す斜視図である。
【図６】FPCの斜視図である。
【図７】トレーの斜視図である。
【図８】トレーの別の角度から見た斜視図である。
【図９】トレーの縦断面図である。
【図１０】図９のA部拡大図である。
【図１１】FPCの端部にトレーを重ねた状態を示す斜視図である。
【図１２】図１０に対応する図であって、FPCの端部にトレーを重ねた状態を示す図である。
【図１３】子ハウジングの斜視図である。
【図１４】子ハウジングの縦断面図である。
【図１５】図１４のXV-XV線断面図である。
【図１６】図１４のXVI-XVI線断面図である。
【図１７】図１４のA部拡大図である。
【図１８】図１５に対応する図であって、FPCの端部に重ねたトレーを子ハウジングに挿入する様子を示す図である。
【図１９】図１６に対応する図であって、FPCの端部に重ねたトレーを子ハウジングに挿入する様子を示す図である。
【図２０】FPCの端部に重ねたトレーを子ハウジングに挿入する様子を示す縦断面図である。
【図２１】図２０のA部拡大図である。
【図２２】図２１に対応する図であって、FPCが曲がり始めている様子を示す図である。
【図２３】FPCの端部に重ねたトレーを子ハウジングに挿入した状態を示す縦断面図である。
【図２４】図２３のA部拡大図である。
【図２５】子コネクタを親コネクタに挿入する様子を示す縦断面図である。
【図２６】図２５のA部拡大図である。
【図２７】図２６に対応する図であって、子コネクタを親コネクタに更に挿入した様子を示す図である。
【図２８】図２６に対応する図であって、子コネクタを親コネクタに更に嵌合させた様子を示す図である。
【図２９】トレーの縦断面図である。（第２実施形態）
【図３０】FPCの端部に重ねたトレーを子ハウジングに挿入する様子を示す縦断面図である。（第３実施形態）
【図３１】トレーの斜視図である。（第４実施形態）
【図３２】子ハウジングの縦断面図である。（第４実施形態）
【図３３】子ハウジングにトレーを組み付けた状態を示す平面断面図である。（第５実施形態）
【図３４】図３３のA部拡大図である。（第５実施形態）
【図３５】特許文献１の図２に相当する図である。
【発明を実施するための形態】
【０００９】
（第１実施形態）
以下、図１〜図２８を参照して、本願発明の第１実施形態を説明する。
【００１０】
（電極中継コネクタ１の概要）
図１及び図２に示すように、電極中継コネクタ１（電気コネクタ）は、３つのFPC２（Flexible Printed Circuits、平型ケーブル）を１つの集約ケーブル３に集約するためのコネクタである。電極中継コネクタ１は、３つのFPC２に夫々装着される３つの子コネクタ４と、集約ケーブル３に装着される１つの親コネクタ５と、を有する。
【００１１】
各FPC２は、絶縁フィルム６と破線で示す２つの信号線７（導体）を有する（図６も併せて参照）。親コネクタ５は、親ハウジング８と破線で示す６つのコンタクト９を有する。以上の構成で、図１及び図２に示すように、３つの子コネクタ４を親コネクタ５に嵌合させると、各FPC２の２つの信号線７が親コネクタ５の６つのコンタクト９のうち２つのコンタクト９に電気的に接続され、もって、３つのFPC２が１つの集約ケーブル３に集約される。
【００１２】
図３〜図５には、FPC２に子コネクタ４を装着する様子を示している。図３及び図４に示すように、子コネクタ４は、トレー１０（補助板）と子ハウジング１１（ハウジング）を有する。そして、図３及び図４に示すようにトレー１０をFPC２の端部１２に重ねた上で、図４及び図５に示すようにトレー１０とFPC２の端部１２を子ハウジング１１に共に挿入することにより、子コネクタ４がFPC２に装着される。
【００１３】
本実施形態の電極中継コネクタ１は、例えば、心電計用電極に接続された複数のFPCを１つのケーブルに集約するのに好適とされる。
【００１４】
ここで、図１を参照して、「コネクタ挿抜方向」及び「FPC厚み方向」、「FPC幅方向」を定義する。コネクタ挿抜方向は、親コネクタ５に対して子コネクタ４を挿抜する方向である。コネクタ挿抜方向は、コネクタ挿入方向とコネクタ引抜方向によって構成される。コネクタ挿入方向は、親コネクタ５へ子コネクタ４を挿入する方向である。コネクタ引抜方向は、親コネクタ５から子コネクタ４を引き抜く方向である。FPC厚み方向は、FPC２の厚み方向である。FPC厚み方向は、コネクタ挿抜方向に対して直交している。FPC厚み方向は、上方向と下方向によって構成される。図４において、上方向は、トレー１０から見てFPC２の端部１２の方向である。下方向は、FPC２の端部１２から見てトレー１０の方向である。従って、上方向で見るとFPC２はトレー１０によって部分的に隠され、下方向で見るとトレー１０はFPC２によって部分的に隠される。FPC幅方向は、コネクタ挿抜方向及びFPC厚み方向に対して直交する方向である。FPC幅方向は、FPC幅中央方向とFPC幅反中央方向によって構成される。図４において、FPC幅中央方向は、FPC２の中央に近づく方向である。FPC幅反中央方向は、FPC２の中央から離れる方向である。
【００１５】
（FPC２）
図６に示すように、FPC２は、端部１２と、端部１２からコネクタ引抜方向に細長く延びるFPC延長部１３と、によって構成されている。端部１２は、コネクタ挿抜方向に若干細長い略矩形状に形成されている。端部１２には、１つの先端側位置決め孔１４と２つの基端側位置決め孔１５が形成されている。先端側位置決め孔１４は、端部１２のコネクタ挿入方向側であって、FPC幅方向における中央に形成されている。２つの基端側位置決め孔１５は、端部１２のコネクタ引抜方向側であって、FPC幅方向において互いに距離を置いて形成されている。端部１２の上方向側の面であるFPC上面１６には、２つの信号線７が部分的に露出しており、２つの電極１７を形成している。２つの電極１７は、コネクタ挿抜方向に細長く形成されている。２つの電極１７は、先端側位置決め孔１４をFPC幅方向で挟むように配置されている。端部１２は、先端部分１８を有する。先端部分１８は、端部１２のコネクタ挿入方向側の縁１９の近傍の部分である。
【００１６】
（トレー１０）
図７を参照する際は、説明の便宜上、トレー１０を前後逆向きに描いているので留意されたい。図７〜図９に示すように、トレー１０は、略板状に形成されている。トレー１０は、トレー本体２０と、２つの基端側上突部２１、２つの先端側上突部２２と、２つの基端側位置決め突起２３と、１つの先端側位置決め突起２４と、２つの基端側下突部２５と、１つのトレーロック爪２６と、を有する。
【００１７】
トレー本体２０は、コネクタ挿抜方向に若干細長い略矩形状の板である。トレー本体２０は、上方向を向くトレー本体上面２７と、下方向を向くトレー本体下面２８と、を有する。
【００１８】
図７に示すように、２つの基端側上突部２１は、トレー本体２０のトレー本体上面２７から上方向に突出して形成されている。２つの基端側上突部２１は、トレー本体２０のコネクタ引抜方向側に配置されている。２つの基端側上突部２１は、FPC幅方向において互いに離れて配置されている。２つの基端側上突部２１は、コネクタ挿抜方向に細長く形成されている。２つの基端側上突部２１の間には、コネクタ挿抜方向に延びるFPC本体収容溝２９が形成されている。
【００１９】
２つの先端側上突部２２は、トレー本体２０のトレー本体上面２７から上方向に突出して形成されている。２つの先端側上突部２２は、トレー本体２０のコネクタ挿入方向側に配置されている。２つの先端側上突部２２は、FPC幅方向において互いに離れて配置されている。２つの先端側上突部２２は、コネクタ挿抜方向に細長く形成されている。２つの先端側上突部２２の間には、コネクタ挿抜方向に延びるFPC端部収容溝３０が形成されている。
【００２０】
２つの基端側位置決め突起２３は、トレー本体２０のトレー本体上面２７から上方向に突出して形成されている。２つの基端側位置決め突起２３は、FPC端部収容溝３０内に配置されている。２つの基端側位置決め突起２３は、FPC端部収容溝３０のコネクタ引抜方向側に配置されている。２つの基端側位置決め突起２３は、FPC幅方向において互いに離れて配置されている。
【００２１】
先端側位置決め突起２４は、トレー本体２０のトレー本体上面２７から上方向に突出して形成されている。先端側位置決め突起２４は、FPC端部収容溝３０内に配置されている。先端側位置決め突起２４は、FPC端部収容溝３０のコネクタ挿入方向側に配置されている。先端側位置決め突起２４は、FPC幅方向の中央に配置されている。先端側位置決め突起２４は、２つの基端側位置決め突起２３よりも背が低い。
【００２２】
図８に示すように、２つの基端側下突部２５は、トレー本体２０のトレー本体下面２８から下方向に突出して形成されている。２つの基端側下突部２５は、トレー本体２０のコネクタ引抜方向側に配置されている。２つの基端側下突部２５は、FPC幅方向において互いに離れて配置されている。２つの基端側下突部２５は、コネクタ挿抜方向に細長く形成されている。
【００２３】
トレーロック爪２６は、トレー本体２０のトレー本体下面２８から下方向に突出して形成されている。トレーロック爪２６は、トレー本体２０のコネクタ引抜方向側に配置されている。トレーロック爪２６は、２つの基端側下突部２５の間に配置されている。
【００２４】
図１０に示すように、トレー本体２０のコネクタ挿入方向側の端部３１には、先端傾斜面３２と保持突起３３が形成されている。先端傾斜面３２は、コネクタ挿入方向へ向かうにつれて下方向に傾斜する平坦な傾斜面である。本実施形態において、先端傾斜面３２は、トレー本体上面２７に対して概ね４５度傾斜している。先端傾斜面３２は、湾曲面３４を介してトレー本体上面２７と接続している。保持突起３３は、先端傾斜面３２から突出して形成されている。保持突起３３は、断面略半円状となるように形成されている。保持突起３３は、一方の先端側上突部２２から他方の先端側上突部２２に至るまで、FPC幅方向に細長く形成されている（図７を併せて参照）。
【００２５】
次に、図１１及び図１２を参照して、トレー１０をFPC２の端部１２に重ねる様子を説明する。
【００２６】
図１１及び図１２に示すように、トレー１０は、FPC２の端部１２に対して下方向から重ねられる。具体的には、図１１に示すように、FPC２の端部１２をトレー１０のFPC端部収容溝３０に嵌め込むと共に、FPC２のFPC延長部１３をトレー１０のFPC本体収容溝２９に嵌め込むように、図１２に示すように、FPC２の端部１２の下方向側の面であるFPC下面３５にトレー１０のトレー本体２０のトレー本体上面２７を面接触させる。すると、図１１に示すように、トレー１０の２つの基端側位置決め突起２３がFPC２の端部１２の２つの基端側位置決め孔１５に挿入すると共に、トレー１０の先端側位置決め突起２４がFPC２の端部１２の先端側位置決め孔１４に挿入し、もって、トレー１０に対してFPC２がコネクタ挿抜方向及びFPC幅方向において位置決めされる。また、トレー１０をFPC２の端部１２に下方向から重ねた状態では、図１２に示すように、FPC２の端部１２の先端部分１８は、コネクタ挿抜方向に対して平行に延びており、トレー１０のトレー本体２０の先端傾斜面３２に対して隙間を開けて対向している。換言すれば、トレー１０をFPC２の端部１２に下方向から重ねた状態では、FPC２の先端部分１８は、FPC２のトレー本体２０の先端傾斜面３２から離れている。なお、図１２に示すように、FPC２の端部１２の先端部分１８の先端半分には、電極１７がない。
【００２７】
（子ハウジング１１）
図１３〜図１６に示すように、子ハウジング１１は、トレー収容筒部４０とコンタクト収容筒部４１、ロックレバー４２を有する。
【００２８】
（トレー収容筒部４０）
トレー収容筒部４０は、コネクタ挿抜方向に延びる筒体であって、トレー１０を挿入可能な第１トレー挿入空間４３（挿入空間）を有する。図１５に示すように、トレー収容筒部４０は、トレー収容天板４４と一対のトレー収容側板４５、トレー収容底板４６を有する。
【００２９】
トレー収容天板４４は、第１トレー挿入空間４３の上方向を区画する。トレー収容天板４４の下面４７には、下向き突部４８が形成されている。下向き突部４８は、第１トレー挿入空間４３の下面４７から下向きに突出して形成されている。下向き突部４８は、第１トレー挿入空間４３の下面４７のFPC幅方向の中央に配置されている。下向き突部４８は、コネクタ挿抜方向に細長く延びて形成されている。
【００３０】
一対のトレー収容側板４５は、第１トレー挿入空間４３のFPC幅方向を区画する。
【００３１】
トレー収容底板４６は、第１トレー挿入空間４３の下方向を区画する。トレー収容底板４６には、一対の撓みスリット４９が形成されている。図１３及び図１５に示すように、一対の撓みスリット４９は、コネクタ挿抜方向に延びて形成されている。一対の撓みスリット４９は、FPC幅方向に互いに離れて形成されている。従って、トレー収容底板４６は、ロック撓み梁５０を有する（図３３も併せて参照）。ロック撓み梁５０は、トレー収容底板４６に一対の撓みスリット４９を形成することで、一対の撓みスリット４９の間に形成される。図１４に示すように、ロック撓み梁５０は、ロック爪収容孔５１とロック部５２を有する。ロック爪収容孔５１は、ロック撓み梁５０をFPC厚み方向に貫通する孔である。ロック部５２は、ロック爪収容孔５１のコネクタ引抜方向側を区画する。
【００３２】
（コンタクト収容筒部４１）
コンタクト収容筒部４１は、コネクタ挿抜方向に延びる筒体であって、トレー１０を挿入可能な第２トレー挿入空間５３（挿入空間）と、親コネクタ５の複数のコンタクト９を挿入可能なコンタクト挿入空間５４と、を有する。第２トレー挿入空間５３とコンタクト挿入空間５４は、FPC厚み方向において繋がっている。コンタクト挿入空間５４は、第２トレー挿入空間５３から見て上方向に配置されている。第１トレー挿入空間４３と第２トレー挿入空間５３は、コネクタ挿抜方向において繋がっている。図１６に示すように、コンタクト収容筒部４１は、コンタクト天板５５と一対のコンタクト側板５６、一対のトレー側板５７、トレー底板５８を有する。
【００３３】
コンタクト天板５５は、コンタクト挿入空間５４の上方向を区画する。
【００３４】
一対のコンタクト側板５６は、コンタクト挿入空間５４のFPC幅方向を区画する。各コンタクト側板５６のFPC幅中央方向寄りの下面には、FPC押さえ突起５９が形成されている。各FPC押さえ突起５９は、各コンタクト側板５６のFPC幅中央方向寄りの下面から下方向に突出して形成されている。各FPC押さえ突起５９は、下方向を向く押さえ面６０を有する。図１４及び図１６に示すように、FPC押さえ突起５９は、コネクタ挿抜方向に細長く延びて形成されている。
【００３５】
一対のトレー側板５７は、第２トレー挿入空間５３のFPC幅方向を区画する。
【００３６】
トレー底板５８は、第２トレー挿入空間５３の下方向を区画する。トレー底板５８は、トレー収容筒部４０のトレー収容底板４６と接続している。トレー底板５８は、トレー収容底板４６のロック撓み梁５０を片持梁状に支持している。
【００３７】
図１４に示すように、コンタクト収容筒部４１は、更に、FPC先端保護部６１を有する。FPC先端保護部６１は、親コネクタ５に子コネクタ４を嵌合させた際にFPC２の先端部分１８を保護する部分である。FPC先端保護部６１は、トレー底板５８のコネクタ挿入方向側の端部に配置されている。図１７に示すように、FPC先端保護部６１は、支持部６２と保護実行部６３を有する。支持部６２は、トレー底板５８のコネクタ挿入方向側の端部から上方向に突出して形成されている。保護実行部６３は、支持部６２の上方向側の端部からコネクタ引抜方向に突出して形成されている。保護実行部６３には、コネクタ挿入方向に向かうにつれて下方向に傾斜する平坦な曲げ案内面６４が形成されている。図１７のようにFPC幅方向で見ると、曲げ案内面６４の上端は、各FPC押さえ突起５９の押さえ面６０と接続している。
【００３８】
（ロックレバー４２）
図１４に示すように、ロックレバー４２は、レバー本体７０とコネクタロック爪７１、解除部７２を有する。レバー本体７０は、本体起立部７３と本体水平部７４を有する。本体起立部７３は、コンタクト収容筒部４１のコンタクト天板５５から上方向に突出する部分である。本体水平部７４は、本体起立部７３の上方向の端部からコネクタ引抜方向に突出する部分である。レバー本体７０は、本体起立部７３及び本体水平部７４を有することで、コンタクト収容筒部４１によって片持ち梁状に支持されたL字状の梁体となっている。コネクタロック爪７１は、本体水平部７４から上方向に突出して形成されている。解除部７２は、本体水平部７４のコネクタ引抜方向側の端部に形成されている。
【００３９】
次に、図１１及び図１３、図１８〜図２４を参照して、FPC２の端部１２を重ねたトレー１０を子ハウジング１１へ挿入する様子を説明する。
【００４０】
先ず、図１１に示すようにFPC２の端部１２にトレー１０を重ねたら、FPC２の端部１２とトレー１０を共に、図１３に示す子ハウジング１１のトレー収容筒部４０の第１トレー挿入空間４３に挿入する。図１８には、FPC２の端部１２が子ハウジング１１のトレー収容筒部４０の第１トレー挿入空間４３を通過している様子を示している。図１８に示すように、FPC２の端部１２が子ハウジング１１のトレー収容筒部４０の第１トレー挿入空間４３を通過している間、トレー収容筒部４０の下向き突部４８がFPC２の端部１２とFPC厚み方向で至近距離で対向する。このトレー収容筒部４０の下向き突部４８の存在により、FPC２の端部１２が子ハウジング１１のトレー収容筒部４０の第１トレー挿入空間４３を通過している間、FPC２の端部１２がトレー１０のトレー本体２０から浮き上がってしまうのがある程度、防止される。
【００４１】
継続して、FPC２の端部１２とトレー１０を共に子ハウジング１１へ更に押し込むことで、FPC２の端部１２とトレー１０を共に、図１６に示す子ハウジング１１のコンタクト収容筒部４１の第２トレー挿入空間５３に挿入する。図１９には、FPC２の端部１２が子ハウジング１１のコンタクト収容筒部４１の第２トレー挿入空間５３内に至った様子を示している。図１９に示すように、FPC２の端部１２が子ハウジング１１のコンタクト収容筒部４１の第２トレー挿入空間５３内に至ると、コンタクト収容筒部４１の一対のFPC押さえ突起５９の押さえ面６０がFPC２の端部１２のFPC幅方向の両端部とFPC厚み方向で極めて至近距離で対向する。このコンタクト収容筒部４１の一対のFPC押さえ突起５９の押さえ面６０の存在により、FPC２の端部１２が子ハウジング１１のコンタクト収容筒部４１の第２トレー挿入空間５３に至った後、FPC２の端部１２がトレー１０のトレー本体２０から浮き上がってしまうのがある程度、防止される。
【００４２】
継続して、FPC２の端部１２とトレー１０を共に子ハウジング１１へ更に押し込むことで、図９に示すトレー１０のトレーロック爪２６が図１４に示す子ハウジング１１のトレー収容筒部４０のロック撓み梁５０のロック部５２と物理的に干渉して、図２０に示すように、ロック撓み梁５０が下方向へ撓み変形し始める。また、図８に示すトレー１０の一対の基端側下突部２５は、図１３に示す子ハウジング１１のトレー収容筒部４０のトレー収容底板４６の一対の撓みスリット４９に夫々挿入される。
【００４３】
一方で、図２１に示すように、FPC２の端部１２の先端部分１８は、コネクタ挿抜方向において、子ハウジング１１のコンタクト収容筒部４１のFPC先端保護部６１の保護実行部６３の曲げ案内面６４と対向し、先端部分１８が曲げ案内面６４に接触すると、図２２に示すように、トレー１０のトレー本体２０の湾曲面３４に沿って、先端部分１８が下方向へと曲がり始める。
【００４４】
継続して、FPC２の端部１２とトレー１０を共に子ハウジング１１へ押し込むと、図２３に示すように、トレー１０のトレーロック爪２６が子ハウジング１１のトレー収容筒部４０のロック撓み梁５０のロック部５２を乗り越えてロック爪収容孔５１に収容され、これと同時に、ロック撓み梁５０が弾性復元力により上方向へと復帰する。これにより、トレー１０の子ハウジング１１への挿入が完了し、トレー１０の子ハウジング１１からの引き抜きが、トレーロック爪２６とロック部５２との協働により禁止される。
【００４５】
一方で、FPC２の端部１２の先端部分１８は、曲げ案内面６４との接触により、図２４に示すように、曲げ案内面６４に対して平行になるまで下方向へと曲げられる。また、これと同時に、トレー１０のトレー本体２０の保持突起３３が先端部分１８のFPC下面３５に食い込んで、先端部分１８を局所的に変形させる。このように、トレー１０の子ハウジング１１への挿入が完了すると、FPC２の端部１２の先端部分１８が、子ハウジング１１のコンタクト収容筒部４１のFPC先端保護部６１の保護実行部６３と、トレー１０のトレー本体２０の保持突起３３と、によって強力に挟まれて保持される。
【００４６】
従って、トレー１０の子ハウジング１１への挿入が完了すると、図１９に示すように、FPC２の端部１２のFPC幅方向の両端部がトレー１０と子ハウジング１１によって挟まれることでFPC２の端部１２のトレー１０からの浮き上がりがある程度、禁止される。これに加えて、図２４に示すように、FPC２の端部１２の先端部分１８が子ハウジング１１のコンタクト収容筒部４１のFPC先端保護部６１の保護実行部６３と、トレー１０のトレー本体２０の保持突起３３と、によって強力に挟まれて保持され、FPC２の端部１２のトレー１０からの浮き上がりが強力に禁止される。
【００４７】
（親コネクタ５）
図２５に示すように、親ハウジング８は、子コネクタ４の子ハウジング１１を収容可能な子ハウジング収容空間７５を有する。親ハウジング８は、子ハウジング収容空間７５の上方向を区画する親天板７６と、子ハウジング収容空間７５の下方向を区画する親底板７７と、子ハウジング収容空間７５のコネクタ挿入方向を区画する過挿入防止板７８と、過挿入防止板７８からコネクタ引抜方向に突出するコンタクトカバー７９と、を有する。親天板７６には、コネクタロック爪収容孔８０が形成されている。コンタクトカバー７９には、下方向を向くコンタクト収容溝８１が形成されている。各コンタクト９は、過挿入防止板７８によって片持梁状に支持されている。各コンタクト９は、過挿入防止板７８からコネクタ引抜方向へ延びている。各コンタクト９は、下方向に凸となるようなV字状の接点部８２を有する。各コンタクト９は、コンタクトカバー７９のコンタクト収容溝８１内に収容されている。各コンタクト９の接点部８２は、コンタクトカバー７９のコンタクト収容溝８１から下方向に露出している。
【００４８】
以上の構成で、子コネクタ４を親コネクタ５に嵌合させるには、子コネクタ４の子ハウジング１１のロックレバー４２のコネクタロック爪７１が親コネクタ５の親ハウジング８の親天板７６のコネクタロック爪収容孔８０に収容されるまで、子コネクタ４の子ハウジング１１を親コネクタ５の子ハウジング収容空間７５に挿入する。このとき、親コネクタ５の親ハウジング８のコンタクトカバー７９及びコンタクト９は、子コネクタ４の子ハウジング１１のコンタクト収容筒部４１のコンタクト挿入空間５４内に挿入される。
【００４９】
子ハウジング１１の子ハウジング収容空間７５への挿入の初期では、図２６に示すように、子ハウジング１１のコンタクト収容筒部４１のFPC先端保護部６１が各コンタクト９の接点部８２に接触する。子ハウジング１１の子ハウジング収容空間７５への挿入の中期では、図２７に示すように、FPC先端保護部６１が各コンタクト９の接点部８２の下方向側に潜り込むことで、各コンタクト９の接点部８２が上方向に押し上げられる。子ハウジング１１の子ハウジング収容空間７５への挿入の後期では、各コンタクト９の接点部８２は、FPC先端保護部６１を乗り越えて、各コンタクト９の有する弾性復元力により下方向へ復帰し、図２８に示すように、FPC２の端部１２の電極１７に接触する。子ハウジング１１の子ハウジング収容空間７５への挿入の末期では、FPC２の端部１２は、各コンタクト９の接点部８２の残存する弾性復元力により、各コンタクト９の接点部８２によって下方向に押さえ付けられながら、コネクタ挿入方向へと移動する。このとき、FPC２の端部１２は、各コンタクト９の接点部８２との摩擦によりコネクタ引抜方向へ強い摩擦力を受ける。この摩擦力は、薄くて変形し易いFPC２の端部１２を座屈させてトレー１０から浮き上がらせようとする。しかしながら、図２４を用いて説明したようにFPC２の端部１２の先端部分１８が強力にクランプされているので、FPC２の端部１２の先端部分１８のトレー１０からの浮き上がりは強力に禁止される。
【００５０】
以上に、本願発明の第１実施形態を説明したが、上記第１実施形態は、以下の特長を有する。
【００５１】
（１）電極中継コネクタ１（電気コネクタ）は、２つの信号線７（導体）を有するFPC２（平型ケーブル）に装着される子コネクタ４（第１コネクタ部）と、６つのコンタクト９を有する親コネクタ５（第２コネクタ部）と、を備える。子コネクタ４を親コネクタ５に嵌合させることで、信号線７がコンタクト９に電気的に接続される。子コネクタ４は、トレー１０（補助板）と、トレー１０を挿入可能な第２トレー挿入空間５３（挿入空間）を有する子ハウジング１１（ハウジング）と、を有する。トレー１０をFPC２に重ね、トレー１０とFPC２を子ハウジング１１の第２トレー挿入空間５３に共に挿入することで、FPC２の先端部分１８がトレー１０と子ハウジング１１の間に挟まれて保持される。以上の構成によれば、FPC２の先端部分１８の浮き上がりを防止しつつ電極中継コネクタ１の製造コストを同時に抑えることができる。
【００５２】
（２）FPC２の先端部分１８は、トレー１０側に曲げられた状態で、トレー１０と子ハウジング１１の間に挟まれて保持される。以上の構成によれば、FPC２の先端部分１８をトレー１０と子ハウジング１１の間で保持し易くなる。
【００５３】
（３）子ハウジング１１は、トレー１０とFPC２を子ハウジング１１の第２トレー挿入空間５３に共に挿入した際に、FPC２の先端部分１８をトレー１０側に曲げるための曲げ案内面６４を有する。以上の構成によれば、トレー１０とFPC２を子ハウジング１１の第２トレー挿入空間５３に共に挿入する前に予めFPC２の先端部分１８をトレー１０側に曲げておく必要がなく、組立作業性が良い。
【００５４】
（４）FPC２の先端部分１８がトレー１０と子ハウジング１１の間に挟まれて保持された状態でFPC２の先端部分１８に対向するトレー１０の面としての先端傾斜面３２（補助板側ケーブル対向面）には、FPC２の先端部分１８がトレー１０と子ハウジング１１の間に挟まれて保持された状態でFPC２の先端部分１８に対向する子ハウジング１１の面としての曲げ案内面６４（ハウジング側ケーブル対向面）に向かって突出する保持突起３３が形成されている。FPC２の先端部分１８は、保持突起３３がFPC２の先端部分１８を局所的に変形させることで、トレー１０と子ハウジング１１の間に挟まれて保持される。以上の構成によれば、FPC２の先端部分１８がトレー１０と子ハウジング１１の間で強力に保持される。
【００５５】
なお、上記第１実施形態において、保持突起３３は、トレー１０のトレー本体２０の先端傾斜面３２に形成することとしたが、これに代えて、保持突起３３は、曲げ案内面６４に形成することとしてもよい。この場合、保持突起３３は、先端傾斜面３２に向かって突出するように形成される。
【００５６】
（６）先端傾斜面３２と曲げ案内面６４は、略平行である。
【００５７】
（７）トレー１０とFPC２を子ハウジング１１の第２トレー挿入空間５３に共に挿入する際、FPC２は、FPC２の先端部分１８から見て、子ハウジング１１から離れる方向に延びている。以上の構成によれば、特許文献１のようにホルダー１０５をハウジング１０４に挿入する前に予めフラットケーブル１００をハウジング１０４に通しておかなければならない手間がない。
【００５８】
（８）親コネクタ５は、複数の子コネクタ４が同時に嵌合可能に構成されている。
【００５９】
また、上記第１実施形態は、以下のように変更できる。
【００６０】
上記第１実施形態において、保持突起３３は、図７に示すように、一方の先端側上突部２２から他方の先端側上突部２２へ至るように細長く形成することとしたが、これに代えて、保持突起３３は、半球状や円錐状、角錐状に形成してもよい。この場合、保持突起３３は、１つのみ形成してもよいし、複数形成してもよい。
【００６１】
上記第１実施形態において、先端傾斜面３２及び曲げ案内面６４は、図２４に示すように、平坦面であるとした。しかし、これに代えて、先端傾斜面３２を曲げ案内面６４に向かって凸となるように湾曲させてもよいし、曲げ案内面６４を先端傾斜面３２に向かって凸となるように湾曲させてもよい。
【００６２】
上記第１実施形態において、保護実行部６３は、一方のトレー側板５７から他方のトレー側板５７に至るまで細長く形成されていることとした。しかし、これに代えて、保護実行部６３は、一方のトレー側板５７から他方のトレー側板５７に至るまで櫛歯状に設けられていてもよい。
【００６３】
（第２実施形態）
次に、図２９を参照して、本願発明の第２実施形態を説明する。
【００６４】
図１０に示すように、上記第１実施形態では、トレー１０のトレー本体２０の先端傾斜面３２に保持突起３３を形成することとした。しかし、これに代えて、図２９に示すように、保持突起３３を省略することができる。ただし、この場合、FPC２の端部１２の先端部分１８がトレー１０と子ハウジング１１によって挟まれて保持されるように、子コネクタ４の製造公差を厳しく管理する必要がある点に留意されたい。
【００６５】
（第３実施形態）
次に、図３０を参照して、本願発明の第３実施形態を説明する。
【００６６】
本実施形態では、図３０に示すように、曲げ案内面６４に保持凹部８３が形成されている。保持凹部８３は、一方のトレー側板５７から他方のトレー側板５７に至るまで細長く形成されている。保持凹部８３は、トレー１０を子ハウジング１１に嵌合させた際に、FPC２の先端部分１８を挟んでトレー１０のトレー本体２０の保持突起３３に対向する位置に形成されている。
【００６７】
（５）このように、曲げ案内面６４には、先端傾斜面３２から離れるように凹む保持凹部８３が形成されている。保持突起３３と保持凹部８３は、FPC２の先端部分１８を挟んで対向する。以上の構成によれば、保持突起３３がFPC２の先端部分１８を局所的に一層大きく変形させることができる。
【００６８】
また、本実施形態では、先端傾斜面３２に保持突起３３を形成し、曲げ案内面６４に保持凹部８３を形成している。しかし、これに代えて、先端傾斜面３２に保持凹部８３を形成し、曲げ案内面６４に保持突起３３を形成してもよい。
【００６９】
なお、保持突起３３を一方の先端側上突部２２から他方の先端側上突部２２へ至るように細長く形成する場合は、保持凹部８３も同様に一方のトレー側板５７から他方のトレー側板５７に至るまで細長く形成することが好ましい。この場合、FPC２の端部１２の先端部分１８がFPC幅方向全域でトレー１０と子ハウジング１１の間で挟まれて保持されるので、強力な保持力が得られる。
【００７０】
これに対し、保持突起３３を半球状や円錐状、角錐状に形成する場合は、保持凹部８３は、一方のトレー側板５７から他方のトレー側板５７に至るまで細長く形成してもよいし、FPC２の端部１２の先端部分１８を挟んで保持突起３３と対向する部分にのみ形成してもよい。
【００７１】
（第４実施形態）
次に、図３１及び図３２を参照して、本願発明の第４実施形態を説明する。
【００７２】
上記第１実施形態では、図７に示すように、トレー１０のトレー本体２０のトレー本体上面２７に先端側位置決め突起２４を形成している。これに対し、本実施形態では、図３１に示すように、先端側位置決め突起２４が省略されている。また、本実施形態では、図３２に示すように、第１トレー挿入空間４３の上方向を区画する下向き突部４８の下面８４がコネクタ挿入方向へ向かうにつれて下方向に傾斜している。以上の構成によれば、FPC２の端部１２とトレー１０を子ハウジング１１に共に挿入するに際し、FPC２の端部１２とトレー１０の子ハウジング１１への挿入の作業容易性を維持しつつも、FPC２の端部１２がFPC押さえ突起５９に至るまでの、FPC２の端部１２のトレー１０からの浮き上がりを効果的に防止することができる。
【００７３】
（第５実施形態）
次に、図３３及び図３４を参照して、本願発明の第５実施形態を説明する。
【００７４】
図３３に示すように、本実施形態において、子コネクタ４は、子ハウジング１１からの子コネクタ４の取り外しを禁止する一対のトレー取外禁止機構８５（取外禁止手段）を更に備える。図３４に示すように、各トレー取外禁止機構８５は、トレー１０の先端側上突部２２のコネクタ挿入方向側の端部からFPC幅反中央方向に突出するトレー側抜け禁止爪８６と、子ハウジング１１のトレー収容側板４５のコネクタ引抜方向側の端部からFPC幅中央方向に突出する子ハウジング側抜け禁止爪８７と、によって構成されている。この構成で、トレー１０を子ハウジング１１の第１トレー挿入空間４３から引き抜こうとすると、トレー１０の先端側上突部２２のトレー側抜け禁止爪８６が子ハウジング１１のトレー収容側板４５の子ハウジング側抜け禁止爪８７に引っ掛かり、トレー１０の子ハウジング１１からのそれ以上の引き抜きが禁止される。
【００７５】
（９）このように、電極中継コネクタ１は、子ハウジング１１からのトレー１０の取り外しを禁止するトレー取外禁止機構８５（取外禁止手段）を更に備える。以上の構成によれば、トレー１０と子ハウジング１１がバラバラになることがないので、FPC２に子コネクタ４を装着する作業が簡単になる。
【符号の説明】
【００７６】
１  電極中継コネクタ（電気コネクタ）
２  FPC（平型ケーブル）
３  集約ケーブル
４  子コネクタ（第1コネクタ部）
５  親コネクタ（第２コネクタ部）
６  絶縁フィルム
７  信号線（導体）
８  親ハウジング
９  コンタクト
１０  トレー（補助板）
１１  子ハウジング（ハウジング）
１２  端部
１３  FPC延長部
１４  先端側位置決め孔
１５  基端側位置決め孔
１６  FPC上面
１７  電極
１８  先端部分
１９  縁
２０  トレー本体
２１  基端側上突部
２２  先端側上突部
２３  基端側位置決め突起
２４  先端側位置決め突起
２５  基端側下突部
２６  トレーロック爪
２７  トレー本体上面
２８  トレー本体下面
２９  FPC本体収容溝
３０  FPC端部収容溝
３１  端部
３２  先端傾斜面（補助板側ケーブル対向面）
３３  保持突起
３４  湾曲面
３５  FPC下面
４０  トレー収容筒部
４１  コンタクト収容筒部
４２  ロックレバー
４３  第１トレー挿入空間
４４  トレー収容天板
４５  トレー収容側板
４６  トレー収容底板
４７  下面
４８  下向き突部
４９  撓みスリット
５０  ロック撓み梁
５１  ロック爪収容孔
５２  ロック部
５３  第２トレー挿入空間（挿入空間）
５４  コンタクト挿入空間
５５  コンタクト天板
５６  コンタクト側板
５７  トレー側板
５８  トレー底板
５９  FPC押さえ突起
６０  押さえ面
６１  FPC先端保護部
６２  支持部
６３  保護実行部
６４  曲げ案内面（ハウジング側ケーブル対向面）
７０  レバー本体
７１  コネクタロック爪
７２  解除部
７３  本体起立部
７４  本体水平部
７５  子ハウジング収容空間
７６  親天板
７７  親底板
７８  過挿入防止板
７９  コンタクトカバー
８０  コネクタロック爪収容孔
８１  コンタクト収容溝
８２  接点部
８３  保持凹部
８４  下面
８５  トレー取外禁止機構（取外禁止手段）
８６  トレー側抜け禁止爪
８７  子ハウジング側抜け禁止爪
【図１】
2015069773.tif 000003
【図２】
2015069773.tif 000004
【図３】
2015069773.tif 000005
【図４】
2015069773.tif 000006
【図５】
2015069773.tif 000007
【図６】
2015069773.tif 000008
【図７】
2015069773.tif 000009
【図８】
2015069773.tif 000010
【図９】
2015069773.tif 000011
【図１０】
2015069773.tif 000012
【図１１】
2015069773.tif 000013
【図１２】
2015069773.tif 000014
【図１３】
2015069773.tif 000015
【図１４】
2015069773.tif 000016
【図１５】
2015069773.tif 000017
【図１６】
2015069773.tif 000018
【図１７】
2015069773.tif 000019
【図１８】
2015069773.tif 000020
【図１９】
2015069773.tif 000021
【図２０】
2015069773.tif 000022
【図２１】
2015069773.tif 000023
【図２２】
2015069773.tif 000024
【図２３】
2015069773.tif 000025
【図２４】
2015069773.tif 000026
【図２５】
2015069773.tif 000027
【図２６】
2015069773.tif 000028
【図２７】
2015069773.tif 000029
【図２８】
2015069773.tif 000030
【図２９】
2015069773.tif 000031
【図３０】
2015069773.tif 000032
【図３１】
2015069773.tif 000033
【図３２】
2015069773.tif 000034
【図３３】
2015069773.tif 000035
【図３４】
2015069773.tif 000036
【図３５】
2015069773.tif 000037
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
少なくとも１つの導体を有する平型ケーブルに装着される第１コネクタ部と、
少なくとも１つのコンタクトを有する第２コネクタ部と、
を備え、
前記第１コネクタ部を前記第２コネクタ部に嵌合させることで、前記少なくとも１つの導体が前記少なくとも１つのコンタクトに電気的に接続される、
電気コネクタであって、
前記第１コネクタ部は、補助板と、前記補助板を挿入可能な挿入空間を有するハウジングと、を有し、
前記補助板を前記平型ケーブルに重ね、前記補助板と前記平型ケーブルを前記ハウジングの前記挿入空間に共に挿入することにより前記平型ケーブルの先端部分が前記補助板側に曲げられ、前記平型ケーブルの前記先端部分は前記補助板側に曲げられた状態で前記補助板と前記ハウジングの間に挟まれて保持される、
電気コネクタ。
【請求項２】
請求項１に記載の電気コネクタであって、
前記ハウジングは、前記補助板と前記平型ケーブルを前記ハウジングの前記挿入空間に共に挿入した際に、前記平型ケーブルの前記先端部分を前記補助板側に曲げるための曲げ案内面を有する、
電気コネクタ。
【請求項３】
請求項１又は２に記載の電気コネクタであって、
前記平型ケーブルの前記先端部分が前記補助板と前記ハウジングの間に挟まれて保持された状態で前記平型ケーブルの前記先端部分に対向する前記補助板の面としての補助板側ケーブル対向面と、前記平型ケーブルの前記先端部分が前記補助板と前記ハウジングの間に挟まれて保持された状態で前記平型ケーブルの前記先端部分に対向する前記ハウジングの面としてのハウジング側ケーブル対向面と、のうち一方には他方へ向かって突出する保持突起が形成されており、
前記平型ケーブルの前記先端部分は、前記保持突起が前記平型ケーブルの前記先端部分を局所的に変形させることで、前記補助板と前記ハウジングの間に挟まれて保持される、
電気コネクタ。
【請求項４】
請求項３に記載の電気コネクタであって、
前記補助板側ケーブル対向面と前記ハウジング側ケーブル対向面のうち前記他方には、前記一方から離れるように凹む保持凹部が形成されており、
前記保持突起と前記保持凹部は、前記平型ケーブルの前記先端部分を挟んで対向する、
電気コネクタ。
【請求項５】
請求項３又は４に記載の電気コネクタであって、
前記補助板側ケーブル対向面と前記ハウジング側ケーブル対向面は、略平行である、
電気コネクタ。
【請求項６】
請求項１〜５の何れかに記載の電気コネクタであって、
前記補助板と前記平型ケーブルを前記ハウジングの前記挿入空間に共に挿入する際、前記平型ケーブルは、前記平型ケーブルの前記先端部分から見て、前記ハウジングから離れる方向に延びている、
電気コネクタ。
【請求項７】
請求項１〜６の何れかに記載の電気コネクタであって、
前記第２コネクタ部は、複数の前記第１コネクタ部が同時に嵌合可能に構成されている、
電気コネクタ。
【請求項８】
請求項１〜７の何れかに記載の電気コネクタであって、
前記ハウジングからの前記補助板の取り外しを禁止する取外禁止手段を更に備えた、
電気コネクタ。
【手続補正２】
【補正対象書類名】明細書
【補正対象項目名】０００６
【補正方法】変更
【補正の内容】
【０００６】
本願発明の観点によれば、少なくとも１つの導体を有する平型ケーブルに装着される第１コネクタ部と、少なくとも１つのコンタクトを有する第２コネクタ部と、を備え、前記第１コネクタ部を前記第２コネクタ部に嵌合させることで、前記少なくとも１つの導体が前記少なくとも１つのコンタクトに電気的に接続される、電気コネクタであって、前記第１コネクタ部は、補助板と、前記補助板を挿入可能な挿入空間を有するハウジングと、を有し、前記補助板を前記平型ケーブルに重ね、前記補助板と前記平型ケーブルを前記ハウジングの前記挿入空間に共に挿入することにより前記平型ケーブルの先端部分が前記補助板側に曲げられ、前記平型ケーブルの前記先端部分は前記補助板側に曲げられた状態で前記補助板と前記ハウジングの間に挟まれて保持される、電気コネクタが提供される。
前記ハウジングは、前記補助板と前記平型ケーブルを前記ハウジングの前記挿入空間に共に挿入した際に、前記平型ケーブルの前記先端部分を前記補助板側に曲げるための曲げ案内面を有する。
前記平型ケーブルの前記先端部分が前記補助板と前記ハウジングの間に挟まれて保持された状態で前記平型ケーブルの前記先端部分に対向する前記補助板の面としての補助板側ケーブル対向面と、前記平型ケーブルの前記先端部分が前記補助板と前記ハウジングの間に挟まれて保持された状態で前記平型ケーブルの前記先端部分に対向する前記ハウジングの面としてのハウジング側ケーブル対向面と、のうち一方には他方へ向かって突出する保持突起が形成されている。前記平型ケーブルの前記先端部分は、前記保持突起が前記平型ケーブルの前記先端部分を局所的に変形させることで、前記補助板と前記ハウジングの間に挟まれて保持される。
前記補助板側ケーブル対向面と前記ハウジング側ケーブル対向面のうち前記他方には、前記一方から離れるように凹む保持凹部が形成されており、前記保持突起と前記保持凹部は、前記平型ケーブルの前記先端部分を挟んで対向する。
前記補助板側ケーブル対向面と前記ハウジング側ケーブル対向面は、略平行である。
前記補助板と前記平型ケーブルを前記ハウジングの前記挿入空間に共に挿入する際、前記平型ケーブルは、前記平型ケーブルの前記先端部分から見て、前記ハウジングから離れる方向に延びている。
前記第２コネクタ部は、複数の前記第１コネクタ部が同時に嵌合可能に構成されている。
前記電気コネクタは、前記ハウジングからの前記補助板の取り外しを禁止する取外禁止手段を更に備える。